(57)【要約】      （修正有）【課題】静電気トラブルから通帳類の磁気情報記録部に記録されている情報が破壊されるのを防ぐ通帳及び磁気カード等の軟質樹脂フィルム製ケースを提供する。【解決手段】磁気情報書込部４を有する預金通帳２及び証券類を収納する軟質の樹脂フィルム製ケース１において、このケース１を構成する基材フィルム３に帯電防止剤を練り込む、又は内面に帯電防止剤をコーティングする、又は帯電防止剤を含んだアンカーコート剤を利用して樹脂フィルムをラミネートする、又は帯電防止剤を含んだ印刷インキを用いて基材フィルム１の内面に印刷を施す、アルミニュウム箔又はこの蒸着層を形成する、等の方法により、静電気を除電して静電気により通帳２の磁気情報記録部４に記録された情報が破壊されるのを防ぐ。【選択図】図１
2008195439.tif 000002
【特許請求の範囲】
【請求項１】
磁気情報記録部を有する預金通帳及び証券、各種の磁気カード類を収納する軟質の樹脂フィルム製ケースにおいて、このケースに帯電防止性能を付与して成る軟質の樹脂フィルム製ケース。
【請求項２】
前記帯電防止性能が帯電防止剤をフィルムに練り込んで形成した層、又はフィルムに帯電防止剤をコーティングした層、又はフィルムに帯電防止剤を含んだアンカーコート剤を利用して樹脂フィルムをラミネートした層、又は基材フィルムの内面に帯電防止剤を含んだ印刷インキを用いて塗工した層、又は帯電防止性能付与手段がアルミニュウム箔又はアルミニュウム蒸着層から成ることを特徴とする請求項１に記載の軟質の樹脂フィルム製ケース。
【請求項３】
前記印刷インキには水性インキが用いられていることを特徴とする請求項２に記載の軟質の樹脂フィルム製ケース。
【請求項４】
前記ケースにおいて、通帳類の出し入れ口には、ジッパーが取り付けられていることを特徴とする請求項１乃至３の何れか１項に記載の軟質の樹脂フィルム製ケース。
【発明の詳細な説明】
【技術分野】
【０００１】
本発明は、銀行の預金通帳あるいはキャッシュカード、証券、身分証明カード、住基カード類（以下「通帳類」という。）であって、磁気情報記録部を有する通帳類を収納するための軟質の樹脂フィルム製ケースに関し、更に詳しくは、ケース内に収納されている通帳類の磁気情報を静電気トラブルから防護するための提案である。
【背景技術】
【０００２】
現在の通帳類の場合、各種の個人情報等が書き込まれた磁気情報記録部が裏表紙の一部等に設けられている。
しかし、このような磁気情報記録部に書き込まれた情報は、静電気や電磁波により破壊される例がある。例えば、帯電した人が通帳類の磁気情報記録部に触れると、ここでスパークが生じ、記録が破壊されることがある。特に、空気が乾燥している冬期においては、自然界に対しての放電が行われにくいために、身体に静電気を帯電している場合が多く、放電ショックが頻繁に発生することは誰もが経験することである。
【０００３】
このような静電気による放電ショックは、前記のように通帳類の磁気情報記録部において発生すると、書き込まれている情報が破壊されてしまうことから、自動払い戻し機等においては、機械が書き込まれている情報を読みとることが出来ず、その都度、窓口では個人情報の確認等の作業を行う必要があり、手間と時間がかかる。また、夜間において自動払い戻し機を利用しようとしたときに、静電気トラブルが発生すると、翌日まで待たなければならないという不便が発生する。
このような静電気トラブルは、人対通帳類の場合ばかりでなく、通帳類を軟質の樹脂製のケースに収めて携帯している場合に、ケースがハンドバックやその中身、あるいはポケットに触れたり、複数の通帳類を携帯している場合には、このケース同士が擦れ合うことによって、ケース自体が帯電してしまい、この帯電した静電気が磁気情報記録部に接触して、書き込まれている磁気情報を破壊するというトラブルもある。
【０００４】
しかし、現在、軟質の樹脂ケースについて、上記のような静電気トラブルの発生を有効に防止する提案はなく、あるのは、次のような内容のものだけである。
【特許文献１】特開平７‐１４９０８７号公報  この内容は、「２枚の長方形のシートの三辺を貼り合わせてなり、かつ、貼り合わせてない辺に対向する辺ｃの近傍のシートにカード収納時にカード４の一辺を露出させる窓部２を有するカードケースは、カード４取り出しの際に、窓部２から露出したカードの一辺を親指等で押すことができるので、容易にカードを取り出すことができる。また、少なくとも１枚のシートが導電性を有すれば、カードをカードケースから取り出す前に、使用者が導電性を有するシートに触れることとなり、静電気を除電することができる。」というものである。しかし、この公知例は、使用者がシートに触れることにより静電気を除電するため、カードケース自体に帯電しているのが前提であることから、このカードケースの内容を通帳ケースに適用することはできない。
【特許文献２】特開平１０‐３０７９０２号公報  この内容は、「導電体層７と絶縁性の電磁波シールド層８とを用いてＩＣカード収容領域を規定し、このＩＣカード収容領域に、挿入孔６を通して能動素子をもつＩＣカードを収容する。その際、ＩＣカード収容領域にＩＣカードをそれの接触端子部が導電体層及び電磁波シールド層を設けた部分に対向する姿勢で収容することが好ましい。電磁波シールド層は、金属粉末或いは軟磁性粉末、誘電体粉末、及び有機結合材を含むとよい。その場合、金属粉末或いは軟磁性粉末は、偏平状及び／又は針状の粉末であり、ＩＣカードの表面と平行になるように配向されて層状になっていることが好ましい。」というものである。しかし、この公知例は、ハードケースを前提としており、軟質の樹脂で形成されたケースには適用できない。
【特許文献３】特開昭６２‐１４６６９６号公報  この内容は、静電気対策として、ハードケースの内面に導電性金属箔をラミネート加工し、このケース内にＩＣカードを入れておくことにより、ＩＣカードが静電気により障害を受けるのを防止するというものである。しかし、この公知例も、軟質の樹脂ケースではないため、通帳類を入れて携帯するには不便であるばかりでなく、コストもかかり、通常は無料で提供する通帳類のケースには適さない。
【発明の開示】
【発明が解決しようとする課題】
【０００５】
本発明の目的は、軟質の樹脂フィルム製通帳類のケースにおいて、低コストにより静電気トラブルの発生を防止することである。
【課題を解決するための手段】
【０００６】
上記目的を達成するため、請求項１に記載の発明においては、磁気情報記録部を有する預金通帳及び証券、各種の磁気カード類を収納する軟質の樹脂フィルム製ケースにおいて、このケースに帯電防止性能を付与して成ることを特徴とするものである。
【０００７】
更に、請求項２に記載の発明においては、請求項１に記載の軟質の樹脂フィルム製ケースにおいて、前記帯電防止性能が帯電防止剤をフィルムに練り込んで形成した層、又はフィルムに帯電防止剤をコーティングした層、又はフィルムに帯電防止剤を含んだアンカーコート剤を利用して樹脂フィルムをラミネートした層、又は基材フィルムの内面に帯電防止剤を含んだ印刷インキを用いて塗工した層、又は帯電防止性能付与手段がアルミニュウム箔又はアルミニュウム蒸着層から成ることを特徴とするものである。
【０００８】
更に、請求項３に記載の発明においては、請求項２に記載の軟質の樹脂フィルム製ケースにおいて、前記印刷インキには水性インキが用いられていることを特徴とするものである。
【０００９】
更に、請求項４に記載の発明においては、請求項１乃至３の何れか１項に記載の軟質の樹脂フィルム製ケースにおいて、通帳類の出し入れ口には、ジッパーが取り付けられていることを特徴とするものである。
【発明の効果】
【００１０】
本発明に係るケースは、上記のとおり帯電防止層により発生した静電気の除電対策が講じられているため、通帳類の磁気情報記録部に書き込まれている情報が静電気により破壊される心配がない。
よって、銀行の窓口等においては、この静電気トラブルに対する対応に時間と手間をとられることがない。
また、夜間において、静電気トラブルにより、自動払い戻し機の利用ができなくなるということもなくなる。
また、樹脂フィルムに対する帯電防止層の付加手段は、製膜工程、あるいは製袋工程において簡単に採用し、実用化できるため、コスト的にも有利である。
また、印刷インキに水性のものを使用することにより、環境対策にも有効である。
【発明を実施するための最良の形態】
【００１１】
本発明においてケースの素材となる軟質の樹脂フィルム（基材）は、現在多く採用されているエンボス加工を施したナイロンあるいはその他の樹脂フィルムとして次のようなもを挙げることができる。
１．ポリエチレンテレフタートなどのポリエステルフィルム
２．ポリプロピレンなどのポリオレフィンフィルム
３．ポリビニルアルコールフィルム
４．エチレン−ビニルアルコール共重合体フィルム
５．エチレン−酢酸ビニル共重合体ケン化合物
また、基材フィルムには単層のものでも良いが、複層化したものを用いても良い。
【００１２】
帯電防止層は、ベタイン系界面活性剤を含有した帯電防止剤、あるいは界面活性剤を含有せず、帯電防止性能に優れた帯電防止剤として、例えば、ボンディップＰＷ、ボンディップＰＡ（登録商標  アルテック株式会社）等を用いることができる。また、アルミニュウム箔、アルミニュウム蒸着等により帯電防止層を形成することができる。なお、使用する帯電防止剤は、効果の優劣は別として、現在公知のものならばすべて用いることができる。
帯電防止層の形成方法としては、帯電防止剤利用の場合は、製膜前のフィルム原料中に練り込み、そのまま製膜する方法、あるいは、帯電防止剤をアンカーコート剤に含有させて他のプラスチックフィルムとのラミネートに用いる方法、あるいは基材フィルムにコーティングする方法、あるいは印刷インキに含有させて、例えば、グラビア印刷技術により塗工する方法等を用いることができる。
アルミニュウム箔の場合は、基材フィルムの内面に貼り合わせる。アルミニュウム蒸着の場合も、基材フィルムの内面に形成する。但し、損傷を防ぐために、樹脂フィルム又は樹脂コーティング層をアルミニュウム箔又はアルミニュウム蒸着の表面（内面）に形成すると良い。
以上のフィルム構成は、ケースの用途等により、最適なものを選択して用いる。
【実施例】
【００１３】
図１において、（ａ）は通帳、（ｂ）はケースを示し、このケース１は、基材フィルム３としてエンボス加工を施した６−ナイロンを使用し、この基材フィルム３の内面に、帯電防止層５として、ボンディップを主剤とし、これに硬化剤、水を加えたものをグラビアコーターを用いて塗工して構成したフィルムを用いて製袋した。
帯電防止層５をアルミニュウム箔又はアルミニュウム蒸着で形成する場合は、前記帯電防止層５がこれらの層となる。
４は、通帳２に貼り付けた磁気情報記録部であって、ここには、預金者の個人情報が書き込まれている。
【００１４】
図３（ａ）は、基材フィルム３に帯電防止剤を練りこんで帯電防止性能を付加した例、（ｂ）は基材フィルム３の内面に帯電防止剤含有のアンカーコート材６を用いてポリエチレンフィルム７をラミネートしたフィルムの例、（ｃ）は基材フィルム３の内面に帯電防止剤含有の水性印刷インキ（東洋インキ製造株式会社製 水性インキ ＪＷ２５０使用）を用いて印刷（ベタ印刷）し、帯電防止印刷層８を形成した例である。
図４は、ケース１の通帳類の出し入れ口９にジッパー１０を取り付けて、封を可能にしたケース１の例である。
帯電防止性能を有する印刷インキについては、前記の帯電防止層の形成以外に、銀行名等の印刷を含めて水性インキを用いることにより、環境問題に配慮した内容とすることができる。
【００１５】
以上に説明した各実施例のケース１について、表面固有抵抗測定装置（ヘイスタ  三菱油化電子株式会社製）を用いて摩擦により静電気を発生させたときの帯電状況を測定したところ、すべてにおいて、静電気の帯電は解消していた。
【産業上の利用可能性】
【００１６】
１．各種の銀行預金通帳ケース
２．キャッシュカード
３．株券、各種の証券等のケース
４．各種の証明、入館証、住基カード、免許カード等のカードケース
【図面の簡単な説明】
【００１７】
【図１】通帳とケースを示し、（ａ）は通帳、（ｂ）はケース
【図２】基材フィルムと帯電防止層の断面図
【図３】基材フィルムに対する帯電防止手段の付加例を示し、（ａ）は基材フィルムに帯電防止剤を練り込んだ例、（ｂ）はアンカーコート材に含有させてフィルムをラミネートした例、（ｃ）は印刷インキに含有させて印刷により塗工した例の説明図
【図４】本発明に係るケースの通帳出し入れ口にジッパーを取り付けた例の説明図
【符号の説明】
【００１８】
１  ケース
２  通帳
３  基材フィルム
４  磁気情報記録部
５  帯電防止層
【図１】
2008195439.tif 000003
【図２】
2008195439.tif 000004
【図３】
2008195439.tif 000005
【図４】
2008195439.tif 000006